(57)【要約】【課題】通信相手（相手機器）を正確に認識して、この認識した相手機器との情報伝送を制御することができる。【解決手段】携帯電話１をタッチパッド２０に載置させて、タッチパッド２０、店舗用端末３０を介した携帯電話１と課金用管理サーバ３２間を近距離通信によって、システム使用者の認証および課金情報の管理を行い、基地局（電波塔３３、局交換機３４）を介した携帯電話１と携帯電話用管理サーバ３６間を遠距離通信によって、この課金情報に基づく有料サービスなどの情報伝送を行なって、認識した相手機器との情報伝送を制御する。【選択図】        図１
2006246392.tif 000002
【特許請求の範囲】
【請求項１】
第１の通信装置と近距離通信を行う第１の通信手段と、
第２の通信装置と無線通信を行う第２の通信手段と、
前記第１の通信手段で受信した情報に基づいて、システム使用者の認証を行う認証手段と、
前記認証手段による認証結果に基づいて、前記第２の通信装置と前記第２の通信手段の無線通信を許可する許可制御手段と、
を備えることを特徴とする通信制御システム。
【請求項２】
前記認証手段は、前記第１の通信手段で受信した情報に基づいて、システム使用者の課金処理を行い、かつ当該課金処理の処理結果に基づいて、前記システム使用者の認証を行うことを特徴とする請求項１に記載の通信制御システム。
【請求項３】
前記第１の通信手段は、少なくとも２つの通信部を有する携帯電話のうちの近距離通信を行う第１の通信部と前記第１の通信装置間で行われる近距離通信からなり、前記第２の通信手段は、前記少なくとも２つの通信部を有する携帯電話のうちの無線通信を行う第２の通信部と前記第２の通信装置間で行われる無線通信からなることを特徴とする請求項１または２に記載の通信制御システム。
【請求項４】
前記第１の通信装置と無線通信を行う第１の通信手段は、少なくとも２種類備えられ、
前記第１の通信装置と無線通信を行う前記第１の通信手段の種類に応じて、前記第２の通信装置と前記第２の通信手段で無線通信される情報の内容が異なることを特徴とする請求項１に記載の通信制御システム。
【請求項５】
前記第１の通信手段は、少なくとも２つの通信部を有するカメラのうちの近距離通信を行う第１の通信部と前記第１の通信装置間で行われる近距離通信からなり、前記第２の通信手段は、前記少なくとも２つの通信部を有するカメラのうちの無線通信を行う第２の通信部と前記第２の通信装置間で行われる無線通信からなることを特徴とする請求項４に記載の通信制御システム。
【発明の詳細な説明】
【技術分野】
【０００１】
本発明は、近距離および長距離の通信を組み合わせて、通信装置と他の電子機器との通信を許可制御する通信制御システムに関するものである。
【背景技術】
【０００２】
従来のシステムでは、たとえばデジタルカメラの画像情報を保存する方法として、ユーザが自身でパーソナルコンピュータなどにデジタルカメラを有線や無線接続させて、パーソナルコンピュータなどが有する記憶装置に記憶させていた。そして、この画像の利用もユーザがパーソナルコンピュータを操作することによって行われていた。しかし、これらの操作には少なからず専門知識が必要であり、誰でも簡単にカメラで撮った画像を保存し、表示させて印刷することができなかった。そこで、たとえば特許文献１に示すように、パーソナルコンピュータとアクセスポイント間で、近距離の赤外線通信と遠距離の無線通信を行う通信システムがあった。この通信システムでは、赤外線通信によって、パーソナルコンピュータがアクセスポイントから遠距離通信を行うためのＳＳＩＤやＷＥＰ用秘密鍵などの無線接続情報を取得した後に、これらの無線接続情報を用いてパーソナルコンピュータとアクセスポイント間で、遠距離の無線通信を行なって、画像情報やその他の情報を伝送していた。
【０００３】
【特許文献１】特開２００３−３２４４４６号公報
【発明の開示】
【発明が解決しようとする課題】
【０００４】
しかしながら、この特許文献１では、パーソナルコンピュータとアクセスポイント間の１対１の通信に用いられるだけのシステムであり、複数の通信装置間での通信を許可制御して個別情報を得るシステムには用いることができないという問題があった。すなわち、近年では、携帯型電話機（以下、「携帯電話」という）などの通信装置を用いて情報を無線通信する場合があり、複数の通信装置間で情報の伝送を行う場合には、通信相手が正しい相手かどうか認識判断しなければならず、この認識判断では、たとえばそれぞれの通信相手を正確に判断したり、通信履歴などをみる必要があった。また、携帯電話などでは、通信料の課金が通信事業者側で行われており、このような課金情報などの個別情報をユーザが利用するためにも、通信相手の認識判断が必要であった。
【０００５】
本発明は、上記問題に鑑みてなされたものであって、通信相手（相手機器）を正確に認識して、この認識した相手機器との情報伝送を制御することができる通信制御システムを提供することを目的とする。
【課題を解決するための手段】
【０００６】
上述した課題を解決し、目的を達成するために、本発明にかかる通信制御システムは、第１の通信装置と近距離通信を行う第１の通信手段と、第２の通信装置と無線通信を行う第２の通信手段と、前記第１の通信手段で受信した情報に基づいてシステム使用者の認証を行う認証手段と、前記認証手段による認証結果に基づいて、前記第２の通信装置と前記第２の通信手段の無線通信を許可する許可制御手段と、を備えることを特徴とする。
【０００７】
また、請求項２の発明にかかる通信制御システムは、上記発明において、前記認証手段は、前記第１の通信手段で受信した情報に基づいて、システム使用者の課金処理を行い、かつ当該課金処理の処理結果に基づいて、前記システム使用者の認証を行うことを特徴とする。
【０００８】
また、請求項３の発明にかかる通信制御システムは、上記発明において、前記第１の通信手段は、少なくとも２つの通信部を有する携帯電話のうちの近距離通信を行う第１の通信部と前記第１の通信装置間で行われる近距離通信からなり、前記第２の通信手段は、前記少なくとも２つの通信部を有する携帯電話のうちの無線通信を行う第２の通信部と前記第２の通信装置間で行われる無線通信からなることを特徴とする。
【０００９】
また、請求項４の発明にかかる通信制御システムは、上記発明において、前記第１の通信装置と無線通信を行う第１の通信手段は、少なくとも２種類備えられ、前記第１の通信装置と無線通信を行う前記第１の通信手段の種類に応じて、前記第２の通信装置と前記第２の通信手段で無線通信される情報の内容が異なることを特徴とする。
【００１０】
また、請求項５の発明にかかる通信制御システムは、上記発明において、前記第１の通信手段は、少なくとも２つの通信部を有するカメラのうちの近距離通信を行う第１の通信部と前記第１の通信装置間で行われる近距離通信からなり、前記第２の通信手段は、前記少なくとも２つの通信部を有するカメラのうちの無線通信を行う第２の通信部と前記第２の通信装置間で行われる無線通信からなることを特徴とする。
【発明の効果】
【００１１】
本発明にかかる通信制御システムは、第１の通信手段による近距離通信で受信された情報に基づいて、システム使用者の認証を行い、この認証結果に基づいて、前記第２の通信装置と前記第２の通信手段間の無線通信を許可することで、通信相手（相手機器）を正確に認識して、この認識した相手機器との情報伝送を制御することができるという効果を奏する。
【発明を実施するための最良の形態】
【００１２】
以下に、本発明にかかる通信制御システムの実施の形態を図１〜図６の図面に基づいて詳細に説明する。なお、本発明は、これらの実施の形態に限定されるものではなく、本発明の要旨を逸脱しない範囲で種々の変更実施の形態が可能である。
【００１３】
（実施の形態１）
図１は、本発明にかかる通信制御システムの実施の形態１の概要構成を示す概要構成図である。図において、この通信制御システムは、携帯電話１と、この携帯電話１が載置される非接触型のカードリーダーとしてのタッチパッド２０と、このタッチパッド２０が接続される店舗用端末３０と、課金システムネットワーク３１を介して店舗用端末３０と接続されて課金の管理およびシステム使用者の認証情報を管理して認証を行う課金用管理サーバ３２と、無線信号送受信用の電波塔３３および局交換機３４からなる地上局と、課金用管理サーバ３２および局交換機３４と公衆ネットワーク３５を介して接続され、携帯電話のユーザ管理を行うとともに、所定の有料サービスを提供する携帯電話用管理サーバ３６とから構成されている。
【００１４】
この通信制御システムは、たとえばコンビニエンスストアーなどで認証用として非接触ＩＣカード型のＦｅｌｉｃａ（登録商標）などを使用して、店舗用端末３０から課金情報が携帯電話１に取り込まれるとともに、課金システムネットワーク３１のサービス代行業者の課金用管理サーバ３２に入力させ、この課金情報に基づいて、それぞれの目的別に情報処理すると同時に、携帯電話１によって課金したことによる情報を通信事業者内の携帯電話用管理サーバ３６の中に蓄積するシステムである。
【００１５】
携帯電話１は、主制御部１０と、所定の機能を実行するための機器、具体的には、たとえば数字キー、発呼キー、リダイヤルキー、終話及び電源キー、動作モードを設定する操作キーなどの操作部１２、ダイヤル表示、電話帳リスト、画像データなどの情報表示を行う小型の表示部１３、マイクロフォン１４、スピーカー１５、電子メール、簡易ホームページ情報、撮像した画像や音声などを記憶する外部メモリ１６、画像の撮像を行うカメラ１７、設定情報や課金情報などを記憶する内蔵メモリ１８、遠距離の無線通信を行うための変復調回路１９および送受信回路２２と、主制御部１０とこれら機器とを電気的に接続させるインターフェース１１とから構成されている。また、この携帯電話１には、非接触ＩＣカードたるＦｅｌｉｃａ（登録商標）のＩＣカード課金情報用通信部２１がインターフェース１１を介して接続されている。
【００１６】
主制御部１０は、携帯電話１が動作するための各種プログラムが記憶されるＲＯＭ１０ａと、この動作のための各種設定情報を記憶するＲＡＭ１０ｂと、遠距離通信の通信制御を行うための通信制御部１０ｃと、近距離通信の通信制御を行うためのＩＣカード制御部１０ｄと、ダイヤル表示、電話帳リスト、画像データなどの表示部に表示させるための画像制御部１０ｅと、音声データを圧縮する音声コーデック１０ｆと、各機器から入力する入力データを制御する入力制御部１０ｇと、電源の制御を行う電源制御部１０ｈとから構成されている。
【００１７】
外部メモリ１６は、電子メール、簡易ホームページ情報、マイクロフォン１４から取り込んだ音声やカメラ１７から取り込んだ画像などを記憶している。内蔵メモリ１８は、携帯電話用管理サーバ３６から送られてくる各種サービスなどの設定情報や課金用管理サーバ３２から送られてくる課金情報やシステム使用者の認証情報などを記憶している。通信制御部１０ｃおよびＩＣカード制御部１０ｄは、この内蔵メモリ１８に記憶されている課金情報を管理している。
【００１８】
ＩＣカード課金情報用通信部２１は、店舗用端末３０を通して認証および課金情報を課金用管理サーバ３２に送信する時に使用されるもので、たとえば商品購入時に店舗用端末３０に非接触ＩＣカードを接触させると、起動信号をインターフェース１１を介して主制御部１０のＩＣカード制御部１０ｄに出力している。ＩＣカード制御部１０ｄは、この起動信号を取り込むと、認証用に内蔵メモリ１８に記憶されているＩＣカードの認証情報をインターフェース１１を介してＩＣカード課金情報用通信部２１に出力する。ＩＣカード課金情報用通信部２１は、取り込んだ認証情報を店舗用端末３０を介して課金用管理サーバ３２に送信し、また課金用管理サーバ３２から店舗用端末３０を介して認証照合確認の信号を受信して、ＩＣカード制御部１０ｄに出力している。ＩＣカード制御部１０ｄは、この認証照合確認の信号を取り込むと、内蔵メモリ１８に記憶されている課金情報をＩＣカード課金情報用通信部２１に出力し、ＩＣカード課金情報用通信部２１は、この課金情報を店舗用端末３０を介して課金用管理サーバ３２に送信している。ここで、ＩＣカード課金情報用通信部２１と課金用管理サーバ３２間で行われる近距離通信は、本発明にかかる第１の通信手段を構成し、ＩＣカード課金情報用通信部２１は、本発明にかかる第１の通信部を構成し、タッチパッド２０が接続される店舗用端末３０と課金用管理サーバ３２は、本発明にかかる第１の通信装置を構成し、かつ課金用管理サーバ３２は、本発明にかかる認証手段も構成する。
【００１９】
送受信回路２２は、通信制御部１０ｃの通信制御により通常の無線電話回線を使用し、通信事業者の基地局を通して携帯電話用管理サーバ３６に情報を送信する時に使用されるもので、たとえば商品を購入し非接触ＩＣカードを使用した時に、上述した課金動作が終了すると、変復調回路１９とともに通信制御部１０ｃによって起動され、内蔵メモリ１８に記憶された通信設定情報により、アンテナを介して無線で事業者の基地局と回線接続を確定し、携帯電話用管理サーバ３６に接続する。この回線接続が確定すると、通信制御部１０ｃは、内蔵メモリ１８に記憶されている課金情報をインターフェース１１を介して変復調回路１９、送受信回路２２に出力し、送受信回路２２は、アンテナを介して無線で事業者の基地局を通して課金情報を携帯電話用管理サーバ３６に送信している。ここで、送受信回路２２と携帯電話用管理サーバ３６間で行われる遠距離の無線通信は、本発明にかかる第２の通信手段を構成し、送受信回路２２は、本発明にかかる第２の通信部を構成し、基地局と携帯電話用管理サーバ３６は、本発明にかかる第２の通信装置を構成し、かつ携帯電話用管理サーバ３６は、本発明にかかる許可制御手段を構成する。
【００２０】
次に、この通信制御システムの認証および課金情報の通信制御動作を図３のフローチャートに基づいて説明する。図３において、携帯電話１、店舗用端末３０および課金用管理サーバ３２は、以下に示す近距離通信を行う。まず、携帯電話１に装着された非接触ＩＣカードを受信用のタッチパッド２０に接触させて、ＩＣカード課金情報用通信部２１は、ＩＣカード制御部１０ｄからの認証要求としての認証情報をタッチパッド２０を介して店舗用端末３０に送信する（ステップ１０１）。
【００２１】
店舗用端末３０は、ＩＣカード課金情報用通信部２１からの認証情報を受信すると、この認証情報を課金システムネットワーク３１を介して課金用管理サーバ３２に送信する（ステップ２０１）。課金用管理サーバ３２は、受信した認証情報の照合を行い、正しければ課金システムネットワーク３１を介して店舗用端末３０に照合結果の回答を送信する（ステップ３０１）。
【００２２】
店舗用端末３０は、課金用管理サーバ３２からの照合結果の回答があると、その照合結果の回答をタッチパッド２０を介して携帯電話１に転送する（ステップ２０２）。また、照合結果の回答がない場合には、ステップ２０１に戻って次の認証要求の受信を待つ。携帯電話１は、店舗用端末３０からの照合結果の回答を受信すると（ステップ１０２）、次に課金情報の送信を行う（ステップ１０３）。また、たとえば所定時間内に照合結果の回答がない場合には、ステップ１０１に戻って再び認証情報の送信を行う。
【００２３】
店舗用端末３０は、課金情報を受信すると、この課金情報を課金用管理サーバ３２に転送する（ステップ２０３）。課金用管理サーバ３２は、この課金情報を受信すると、受信確認したことを店舗用端末３０に送信するとともに（ステップ３０２）、この課金情報をサーバ内の図示しない記憶部に保存および処理する（ステップ３０３）。
【００２４】
店舗用端末３０は、課金用管理サーバ３２から受信した受信確認の情報を携帯電話１に報知し（ステップ２０４）。携帯電話１は、この受信確認が報知されると、課金情報を内蔵メモリ１８に保存する保存処理を行う（ステップ１０４）。
【００２５】
上述した近距離通信が終了すると、次に携帯電話１、店舗用端末３０および課金用管理サーバ３２は、以下に示す遠距離通信を行う。すなわち、携帯電話１は、基地局（電波塔３３、局交換機３４）および公衆ネットワーク３５を介して、携帯電話用管理サーバ３６に回線接続要求を送信する（ステップ１０５）。なお、携帯電話用管理サーバ３６には、たとえば予め携帯電話１を識別するための識別情報が記憶されており、携帯電話１は、回線接続要求の際に、この識別情報を接続要求とともに送信する。
【００２６】
携帯電話用管理サーバ３６は、この回線接続要求を受信すると、この識別情報から回線接続承認を行い、この回線接続承認の回答を携帯電話１に送信する（ステップ４０１）。携帯電話１は、事業者の基地局を介して、この回線接続承認を受信すると、携帯電話用管理サーバ３６に対して内蔵メモリ１８に保存してある課金情報の送信を開始する（ステップ１０６）。
【００２７】
携帯電話用管理サーバ３６は、携帯電話１からの課金情報の受信を開始し、課金情報を受信した旨の通知を携帯電話１に報知する（ステップ４０２）。携帯電話１は、この報知を受信すると、課金情報転送の終了を示す通知を行い（ステップ１０７）、携帯電話用管理サーバ３６との無線回線を切断する（ステップ１０８）。
【００２８】
携帯電話用管理サーバ３６は、転送終了を示す通知を受信すると、データ転送の受信を終了し（ステップ４０３）、携帯電話１より転送されてきた課金情報を自己のサーバ内の図示しない記憶部に保存および処理して（ステップ４０４）、携帯電話１との無線回線を切断する（ステップ４０５）。
【００２９】
以上のフローチャートの流れにより、携帯電話用管理サーバ３６は、課金が完了した携帯電話の特定が可能となる。そして、携帯電話用管理サーバ３６は、この課金が完了した携帯電話１に対して、たとえばコンテンツのダウンロードやチケット予約などの有料サービスを提供することが可能となる。
【００３０】
なお、この有料サービスは、たとえば携帯電話１を接触させた端末がある店舗に関するサービスを提供するように設定すると、さらに有用である。たとえば、楽曲データが欲しいと思った携帯電話１のユーザは、ＣＤショップの端末に携帯電話を接触させて楽曲データの料金を支払う。そして、楽曲データは、携帯電話会社のサーバから携帯電話回線を使ってダウンロードする。
【００３１】
この方式ならば、ＣＤショップは楽曲データを携帯電話会社に預けておけば良く、わざわざ楽曲データ転送用のシステムを店舗内に準備する必要がない。また、携帯電話会社も、ＣＤショップからサービス料を徴収することができる。
【００３２】
このように、この実施の形態では、携帯電話と課金用管理サーバ間でシステム使用者（ユーザ）の認証および課金情報の管理を行い、携帯電話と携帯電話用管理サーバ間で課金情報に基づく、サービスなどの情報伝送を行うので、通信相手（相手機器）を正確に認識することができるとともに、この認識した相手機器との情報伝送を制御することができる。
【００３３】
（実施の形態２）
図４は、本発明にかかる通信制御システムの実施の形態２の概要構成を示す概要構成図である。図において、この通信制御システムは、デジタルカメラ２と、このデジタルカメラ（以下、単に「カメラ」という）２が載置される目的別の複数のタッチパッド２０〜２ｎ（ｎは任意の正数）と、これらタッチパッド２０〜２ｎが接続されるサーバ４０と、このサーバ４０に接続されてカメラ２とのデータ伝送を行うアクセスポイント装置４２と、このサーバ４０に接続されて情報の出力を行う出力装置、具体的には情報表示用の小型のフラットスクリーン装置４１、情報表示用の大型の大型モニタ４３および情報印刷用のプリンタ４４とから構成されている。
【００３４】
この通信制御システムは、たとえばカメラ２で撮影した画像を、家に帰った時に保存したり、表示させるために、それぞれの用途に応じた複数のタッチパッド（非接触型のカードリーダー）２０〜２ｎを用意し、カメラ２を目的のタッチパッドに載置させるとカメラ自体が起動し、目的に応じてサーバ４０と無線通信し、画像情報を保存し、目的に応じた出力装置に出力するシステムである。ここで、たとえばＡさん用カメラ２を、タッチパッド２０〜２ｎのうちのＡさん用タッチパッドに載置すると、カメラ２自体が後述する出力制御部５０ｆの出力制御によって起動して、サーバ４０に画像を送信し、サーバ４０に予め設定されたＡさんの保存エリアに受信された画像が保存されたり、またはカメラ２をモニタ用タッチパッドに載置させると、サーバ４０に画像を送信し、予め設定されたサーバ４０のモニタ情報エリアに画像が保存され、保存された画像は、サーバ４０に接続された大型モニタ４３が起動制御されて、この大型モニタ４３に表示されたり、またはカメラ２をプリンタ用タッチパッドに載置させると、サーバ４０に画像を送信し、予め設定されたサーバ４０のプリンタ情報エリアに画像が保存され、この保存された情報は、プリント情報に応じてサーバ４０に接続されたプリンタ４４で印刷されるなどの目的が考えられる。
【００３５】
カメラ２は、所定の機能を実行するための機器、具体的には、デジタルカメラ部４と、遠距離通信用のデータ送受信部５と、近距離通信用の認証用通信部６とから構成されている。
【００３６】
デジタルカメラ部４は、主制御部５０、撮像部、インターフェース７０、操作部７１、モニタ７２からなる表示部およびメモリカード７３からなる記録部より構成され、データ送受信部５は、遠距離通信用の無線ＬＡＮとアンテナより構成され、認証用通信部６は、実施の形態１に示したＩＣカード課金情報用通信部２１と同様に、Ｆｅｌｉｃａ（登録商標）などの非接触ＩＣカードとアンテナにより構成されている。
【００３７】
主制御部５０は、データ送受信部５および認証用通信部６のデータ通信用のパラメータやカメラのパラメータを記憶するパラメータ用ＲＡＭ５０ａと、カメラ２の各機能を実行するための各種プログラムが記憶されるＲＯＭ５０ｂと、ＩＣカードの認証情報を記憶する認証用ＲＡＭ５０ｃと、連続して撮影された画像データ（複数枚）を一時記憶しておくＲＡＭ５０ｄと、撮影のためにデジタルカメラ部４の各機器を制御する撮影制御部５０ｅと、データ通信などの出力制御を行う出力制御部５０ｆと、主制御部５０とカメラ２内部の各機器を接続させるインターフェース５０ｇとから構成されている。
【００３８】
撮像部は、レンズ６０、レンズ駆動部６１、レンズ６０を介して取り込んだ被写体の画像信号を取得する撮像素子６２、取得した画像信号の信号処理を行う信号処理回路６３、撮像素子６２と信号処理回路６３の動作タイミングを制御するタイミング制御回路６４、信号処理された画像信号をアナログ／デジタル変換するＡ／Ｄ変換部６５、デジタル化された画像の画像処理を行う画像処理部６６、画像処理された画像データを記憶する画像メモリ６７、内蔵フラッシュ６８、内蔵フラッシュ６８を発光させるフラッシュ発光回路６９から構成されている。
【００３９】
インターフェース７０は、周辺機器とカメラ２とを接続させるためのＵＳＢや図示しない内部バッテリをチャージするための電力線が接続される入出力用のインターフェースである。操作部７１は、たとえばシャッター、プレビュー用写真やシーンに合わせた動作モードなどの各種操作を行う。モニタ７２は、画像データなどの情報表示を行う小型の表示部である。メモリカード７３は、たとえばＪＰＥＧなどの圧縮された画像データを記憶する記憶部である。
【００４０】
認証用通信部６は、タッチパッド２０〜２ｎを介して認証をサーバ４０に送信する時に使用されるものである。認証用通信部６は、たとえば画像転送時にカメラ２に装着された非接触ＩＣカードをいずれかのタッチパッドに載置すると、起動信号をインターフェース１１を介して主制御部１０の出力制御部５０ｆに出力し、出力制御部５０ｆは、この起動信号を取り込むと、認証用ＲＡＭ５０ｃに記憶されているＩＣカードの認証情報をインターフェース１１を介して認証用通信部６に出力する。認証用通信部６は、取り込んだ認証情報をタッチパッドを介してサーバ４０に送信する。また、認証用通信部６は、サーバ４０からタッチパッドを介して認証照合確認の信号を受信して、出力制御部５０ｆに出力している。ここで、認証用通信部６とサーバ４０間で行われる近距離通信は、本発明にかかる第１の通信手段を構成し、認証用通信部６は、本発明にかかる第１の通信部を構成し、タッチパッド２０〜２ｎが接続されるサーバ４０は、本発明にかかる第１の通信装置および認証手段を構成する。
【００４１】
データ送受信部５は、出力制御部５０ｆの通信制御により通常の無線ＬＡＮを使用し、アクセスポイント装置４２を通してサーバに情報を送信する時に使用されるもので、認証動作が終了すると、出力制御部５０ｆからメモリカード７３に記憶されているモードに応じた出力用の画像を取り込み、取り込んだ出力用の画像をアクセスポイント装置４２を通してサーバ４０に無線伝送している。ここで、データ送受信部５とサーバ４０間で行われる遠距離の無線通信は、本発明にかかる第２の通信手段を構成し、データ送受信部５は、本発明にかかる第２の通信部を構成し、サーバ４０は、本発明にかかる第２の通信装置および許可制御手段を構成する。
【００４２】
次に、この通信制御システムの認証および目的に応じたデータの通信制御動作を図６のフローチャートに基づいて説明する。図６において、カメラ２、タッチパッドおよびサーバ４０は、以下に示す近距離通信を行う。まず、カメラ２に装着された非接触ＩＣカードを目的に応じた受信用のタッチパッドに接触させて、認証用通信部６は、出力制御部５０ｆからの認証要求としての認証情報をタッチパッドを介してサーバ４０に送信する（ステップ５０１）。
【００４３】
タッチパッドは、カメラ２からの認証情報を受信すると、この認証情報をサーバ４０に送信する（ステップ６０１）。サーバ４０は、受信した認証情報の照合を行い、正しければ該当するタッチパッドに照合結果の回答を送信する（ステップ７０１）。そして、タッチパッドは、予め自己に設定されたモード情報（目的）に対応する識別情報をサーバ４０に送信する。
【００４４】
サーバ４０は、モード情報と、このモード情報に対応する識別情報を記憶しており、ある識別情報を受信すると、対応するモード情報を確認し、その識別情報をタッチパッドに送信する（ステップ７０２）。タッチパッドは、サーバ４０から識別情報を受信すると、モード情報の確認を行う（ステップ６０４）。また、たとえば所定時間内に識別情報の返送がない場合には、ステップ６０３に戻ってモード情報に対応する識別情報の送信を行う。
【００４５】
タッチパッドは、サーバ４０からの照合結果の回答があると、その照合結果の回答を認証用通信部６に送信する（ステップ６０２）。また、照合結果の回答がない場合には、ステップ５０１に戻って認証情報の送信を行う。
【００４６】
上述した近距離通信が終了すると、次にカメラ２、タッチパッドおよびサーバ４０は、以下に示す遠距離通信を行う。すなわち、カメラ２出力制御部５０ｆは、カメラの電源をオンさせて、データ送受信部５を起動させる（ステップ５０３）。
【００４７】
また、サーバ４０は、ステップ７０２のモード情報の確認送信が終了すると、遠距離通信によりカメラ２に対して回線接続要求を行う（ステップ７０３）。カメラ２は、この回線接続要求を受信すると、サーバ４０に送信認証要求を送信する（ステップ５０４）。
【００４８】
カメラ２は、この回線接続要求を受信すると、サーバ４０に対して回線接続を行い、目的に応じてメモリカード７３に記憶されている画像データの転送を開始する（ステップ５０５）。また、サーバ４０から所定時間内に回線接続要求がない場合には、カメラ２は、ステップ５０１に戻って、上記動作を繰り返す。
【００４９】
サーバ４０は、カメラ２から画像データの受信を開始すると、サーバ４０に予め目的別に設定された保存エリアのうちの該当する目的の保存エリア（ディレクトリ）に受信された画像を保存し、画像データを受信した旨の通知をカメラ２に報知する（ステップ７０５）。カメラ２は、この報知を受信すると、画像データ転送の終了を示す通知を行い（ステップ５０６）、サーバ４０との回線を切断して（ステップ５０７）、データ送受信部５の動作を停止させて初期状態に戻す（ステップ５０８）。
【００５０】
サーバ４０は、転送終了を示す通知を受信すると、画像データ転送の受信を終了し（ステップ７０６）、保存エリアに保存した画像データを、モードに応じて、情報の出力を行う出力装置（フラットスクリーン装置４１、大型の大型モニタ４３、またはプリンタ４４）に送出する（ステップ７０７）。そして該当する画像データの出力が終了すると、データ出力を停止する（ステップ７０８）。
【００５１】
このように、この実施の形態では、モード情報に応じた複数のタッチパッドをサーバに接続させ、サーバにシステム使用者の認証を行わせるとともに、目的に応じた情報伝送および情報出力を行うので、通信相手（相手機器）を正確に認識することができるとともに、この認識した相手機器との情報伝送を制御することができる。
【図面の簡単な説明】
【００５２】
【図１】本発明にかかる通信制御システムの実施の形態１の概要構成を示す概要構成図である。
【図２】図１に示した携帯型電話機の構成を示すブロックダイヤグラムである。
【図３】図１に示した通信制御システムの通信制御動作を説明するためのフローチャートである。
【図４】本発明にかかる通信制御システムの実施の形態２の概要構成を示す概要構成図である。
【図５】図４に示したデジタルカメラの構成を示すブロックダイヤグラムである。
【図６】図４に示した通信制御システムの通信制御動作を説明するためのフローチャートである。
【符号の説明】
【００５３】
１  携帯電話
２  デジタルカメラ
４  デジタルカメラ部
５  データ送受信部
６  認証用通信部
１０  主制御部
１０ａ  ＲＯＭ
１０ｂ  ＲＡＭ
１０ｃ  通信制御部
１０ｄ  ＩＣカード制御部
１０ｅ  画像制御部
１０ｆ  音声コーデック
１０ｇ  入力制御部
１０ｈ  電源制御部
１１  インターフェース
１２  操作部
１３  表示部
１４  マイクロフォン
１５  スピーカー
１６  外部メモリ
１７  カメラ
１８  内蔵メモリ
１９  変復調回路
２０  タッチパッド
２１  カード課金情報用通信部
２２  送受信回路
３０  店舗用端末
３１  課金システムネットワーク
３２  課金用管理サーバ
３３  電波塔
３４  局交換機
３５  公衆ネットワーク
３６  携帯電話用管理サーバ
４０  サーバ
４１  フラットスクリーン装置
４２  アクセスポイント装置
４３  大型モニタ
４４  プリンタ
５０  主制御部
５０ａ  パラメータ用ＲＡＭ
５０ｂ  ＲＯＭ
５０ｃ  認証用ＲＡＭ
５０ｄ  ＲＡＭ
５０ｇ  インターフェース
５０ｅ  撮影制御部
５０ｆ  出力制御部
５０ｇ，７０  インターフェース
６０  レンズ
６１  レンズ駆動部
６２  撮像素子
６３  信号処理回路
６４  タイミング制御回路
６５  アナログ／デジタル変換部
６６  画像処理部
６７  画像メモリ
６８  内蔵フラッシュ
６９  フラッシュ発光回路
７１  操作部
７２  モニタ
７３  メモリカード
【図１】
2006246392.tif 000003
【図２】
2006246392.tif 000004
【図３】
2006246392.tif 000005
【図４】
2006246392.tif 000006
【図５】
2006246392.tif 000007
【図６】
2006246392.tif 000008